(57)【要約】      （修正有）【課題】シェードに隙間をあけて光を通し、シェードを上げ下げしないでも比較的高度なプライバシーを維持できるウインドカバーを提供する。【解決手段】ヘッドレールと、固着部材によってヘッドレールから吊るされる複数のパネルと、開放部材と、を備える複数のパネルを有するウインドカバーを提供する。複数のパネルは各々折畳み可能であり、一対の向かい合った長手方向領域を含む。またボトムレールが設けられ、このボトムレールは、複数のパネルがヘッドレールとボトムレールとの間に位置するようにヘッドレールから吊るされている。【選択図】図１
2004332523.tif 000002
【特許請求の範囲】
【請求項１】
閉鎖位置と開放位置との間で移動可能なウインドカバーであって、
ヘッドレールと、
ヘッドレールから吊るされる複数の折畳み可能なパネルであって、各々が一対の向かい合った長手方向領域を有する複数の折畳み可能なパネルと、
ヘッドレールと複数のパネルとを接続する固着部材と、
ヘッドレールと複数のパネルとを接続する開放部材と、を備え、
前記固着部材は複数のパネルの各々で向かい合った長手方向領域の１つの周囲に拘束的に配置され、前記開放部材は複数のパネルの各々で前記固着部材に向かい合った長手方向領域の周囲に拘束的に配置され、
開放部材に操作可能に接続され、且つ開放部材の引き出し及び引き込みをしてウインドカバーを閉鎖位置と開放位置との間で動かす垂直調整機構を備える、ウインドカバー。
【請求項２】
一対の向かい合った長手方向領域は下部領域と上部領域とを備える、請求項１に記載のウインドカバー。
【請求項３】
固着部材は複数のパネルの各々で上部領域の周囲に拘束的に配置され、開放部材は下部領域の周囲に拘束的に配置されている、請求項２に記載のウインドカバー。
【請求項４】
固着部材は複数のパネルの各々で上部領域の周囲に固着されている、請求項３に記載のウインドカバー。
【請求項５】
固着部材は少なくとも１つの止め具により複数のパネルの各々に拘束的に配置されている、請求項３に記載のウインドカバー。
【請求項６】
固着部材は複数のパネルの各々で下部領域の周囲に拘束的に配置され、開放部材は上部領域の周囲に拘束的に配置されている、請求項２に記載のウインドカバー。
【請求項７】
固着部材は複数のパネルの各々で下部領域の周囲に固着されている、請求項６に記載のウインドカバー。
【請求項８】
固着部材は少なくとも１つの止め具により複数のパネルの各々に拘束的に配置されている、請求項６に記載のウインドカバー。
【請求項９】
複数のパネルの各々は織物材料で構成されている、請求項１に記載のウインドカバー。
【請求項１０】
織物材料は単一の長手方向に広がる片である、請求項９に記載のウインドカバー。
【請求項１１】
織物材料は複数の織物材料である、請求項９に記載のウインドカバー。
【請求項１２】
織物材料は長手方向に広がるセルを画定する、請求項９に記載のウインドカバー。
【請求項１３】
複数のパネルの各々は複数の長手方向に広がる堅い羽根板で構成されている、請求項１に記載のウインドカバー。
【請求項１４】
固着部材はひもである、請求項１に記載のウインドカバー。
【請求項１５】
引込み式の引き上げ部材によってヘッドレールから吊るされるボトムレールをさらに含む、請求項１に記載のウインドカバー。
【請求項１６】
一対の向かい合った長手方向領域の周囲に固着される補強片をさらに含む、請求項１に記載のウインドカバー。
【請求項１７】
一対の向かい合った長手方向領域の内の少なくとも１つの周囲に固着される少なくとも１つの補強片をさらに含む、請求項１に記載のウインドカバー。
【請求項１８】
開放部材は持ち上げ部材と複数の巻き上げ部材とから構成されている、請求項１に記載のウインドカバー。
【請求項１９】
ウインドカバーであって、
ヘッドレールと、
ヘッドレールから吊るされている複数の折畳み可能なパネルであって、
前記複数のパネルの内少なくとも１つは一対の向かい合った長手方向に広がる領域を有し、前記一対の向かい合った領域は固着部材と開放部材とによってヘッドレールに操作可能に接続される複数の折畳み可能なパネルと、
前記開放部材に操作可能に接続され、且つ開放部材の引き出し及び引き込みをする垂直調整機構と、を備えるウインドカバー。
【請求項２０】
一対の向かい合った長手方向領域は下部領域と上部領域とを備える、請求項１９に記載のウインドカバー。
【請求項２１】
固着部材は少なくとも１つのパネルで上部領域の周囲に拘束的に配置され、開放部材は下部領域の周囲に拘束的に配置されている、請求項２０に記載のウインドカバー。
【請求項２２】
固着部材は少なくとも１つのパネルで上部領域の周囲に固着されている、請求項２１に記載のウインドカバー。
【請求項２３】
固着部材は少なくとも１つの止め具により少なくとも１つのパネルに拘束的に配置されている、請求項２１に記載のウインドカバー。
【請求項２４】
固着部材は少なくとも１つのパネルで下部領域の周囲に拘束的に配置され、開放部材は上部領域の周囲に拘束的に配置されている、請求項２０に記載のウインドカバー。
【請求項２５】
固着部材は少なくとも１つのパネルで下部領域の周囲に固着されている、請求項２２に記載のウインドカバー。
【請求項２６】
固着部材は少なくとも１つの止め具により少なくとも１つのパネルに拘束的に配置されている、請求項２４に記載のウインドカバー。
【請求項２７】
複数のパネルの各々は織物材料で構成されている、請求項１９に記載のウインドカバー。
【請求項２８】
織物材料は単一の長手方向に広がる片である、請求項２７に記載のウインドカバー。
【請求項２９】
織物材料は複数の織物材料である、請求項２７に記載のウインドカバー。
【請求項３０】
織物材料は長手方向に広がるセルを画定する、請求項２７に記載のウインドカバー。
【請求項３１】
前記少なくとも１つのパネルは複数の長手方向に広がる堅い羽根板で構成されている、請求項１９に記載のウインドカバー。
【請求項３２】
固着部材はひもである、請求項１９に記載のウインドカバー。
【請求項３３】
開放部材は持ち上げ部材と複数の巻き上げ部材とから構成されている、請求項１９に記載のウインドカバー。
【請求項３４】
引込み式の引き上げ部材によってヘッドレールから吊るされるボトムレールをさらに含む、請求項１９に記載のウインドカバー。
【請求項３５】
一対の向かい合った長手方向領域の周囲に固着される補強片をさらに含む、請求項１９に記載のウインドカバー。
【請求項３６】
一対の向かい合った長手方向領域の内の少なくとも１つの周囲に固着される少なくとも１つの補強片をさらに含む、請求項１９に記載のウインドカバー。
【請求項３７】
閉鎖位置と開放位置との間で移動可能なウインドカバーであって、
ヘッドレールと、
ヘッドレールから吊るされる複数の折畳み可能なパネルであって、各々が一対の向かい合った長手方向領域を有し、前記複数のパネルは各々が複数の堅い羽根板をさらに備える複数の折畳み可能なパネルと、
ヘッドレールと複数のパネルとを接続する固着部材と、
ヘッドレールと複数のパネルとを接続する開放部材と、を備え、
前記固着部材は複数のパネルの各々で向かい合った長手方向領域の１つの周囲に拘束的に配置され、前記開放部材は複数のパネルの各々で固着部材に向かい合った長手方向領域の周囲に拘束的に配置され、
前記開放部材に操作可能に接続され、且つ開放部材の引き出し及び引き込みをしてウインドカバーを閉鎖位置と開放位置との間で動かす垂直調整機構を備える、ウインドカバー。
【請求項３８】
一対の向かい合った長手方向領域は下部領域と上部領域とを備える、請求項３７に記載のウインドカバー。
【請求項３９】
固着部材は少なくとも１つのパネルで上部領域の周囲に拘束的に配置され、開放部材は下部領域の周囲に拘束的に配置されている、請求項３８に記載のウインドカバー。
【請求項４０】
固着部材は少なくとも１つのパネルで上部領域の周囲に固着されている、請求項３９に記載のウインドカバー。
【請求項４１】
固着部材は少なくとも１つの止め具により少なくとも１つのパネルに拘束的に配置されている、請求項３９に記載のウインドカバー。
【請求項４２】
固着部材は少なくとも１つのパネルで下部領域の周囲に拘束的に配置され、開放部材は上部領域の周囲に拘束的に配置されている、請求項３８に記載のウインドカバー。
【請求項４３】
固着部材は少なくとも１つのパネルで下部領域の周囲に固着されている、請求項４２に記載のウインドカバー。
【請求項４４】
固着部材は少なくとも１つの止め具により少なくとも１つのパネルに拘束的に配置されている、請求項４２に記載のウインドカバー。
【請求項４５】
引込み式の引き上げ部材によってヘッドレールから吊るされるボトムレールをさらに含む、請求項３７に記載のウインドカバー。
【請求項４６】
一対の向かい合った長手方向領域の周囲に固着される補強片をさらに含む、請求項３７に記載のウインドカバー。
【請求項４７】
一対の向かい合った長手方向領域の内の少なくとも１つの周囲に固着される少なくとも１つの補強片をさらに含む、請求項３７に記載のウインドカバー。
【請求項４８】
開放部材は持ち上げ部材と複数の巻き上げ部材とから構成されている、請求項３７に記載のウインドカバー。
【請求項４９】
閉鎖位置と開放位置との間で移動可能なウインドカバーであって、
ヘッドレールと、
ヘッドレールから吊るされる複数の折畳み可能なパネルであって、各々が一対の向かい合った長手方向領域を有し、各々が長手方向に広がるセルを画定し、少なくとも１つの織物材料をさらに備える複数の折畳み可能なパネルと、
ヘッドレールと複数のパネルとを接続する固着部材と、
ヘッドレールと複数のパネルとを接続する開放部材と、を備え、
前記固着部材は複数のパネルの各々で向かい合った長手方向領域の１つの周囲に拘束的に配置され、前記開放部材は複数のパネルの各々で固着部材に向かい合った長手方向領域の周囲に拘束的に配置され、
前記開放部材に操作可能に接続され、且つ開放部材の引き出し及び引き込みをしてウインドカバーを閉鎖位置と開放位置との間で動かす垂直調整機構を備える、ウインドカバー。
【請求項５０】
一対の向かい合った長手方向領域は下部領域と上部領域とを備える、請求項４９に記載のウインドカバー。
【請求項５１】
固着部材は少なくとも１つのパネルで上部領域の周囲に拘束的に配置され、開放部材は下部領域の周囲に拘束的に配置されている、請求項５０に記載のウインドカバー。
【請求項５２】
固着部材は少なくとも１つのパネルで上部領域の周囲に固着されている、請求項５１に記載のウインドカバー。
【請求項５３】
固着部材は少なくとも１つの止め具により少なくとも１つのパネルに拘束的に配置されている、請求項５１に記載のウインドカバー。
【請求項５４】
固着部材は少なくとも１つのパネルで下部領域の周囲に拘束的に配置され、開放部材は上部領域の周囲に拘束的に配置されている、請求項５０に記載のウインドカバー。
【請求項５５】
固着部材は少なくとも１つのパネルで下部領域の周囲に固着されている、請求項５４に記載のウインドカバー。
【請求項５６】
固着部材は少なくとも１つの止め具により少なくとも１つのパネルに拘束的に配置されている、請求項５４に記載のウインドカバー。
【請求項５７】
織物材料は単一の長手方向に広がる材料部品である、請求項４９に記載のウインドカバー。
【請求項５８】
織物材料は複数の織物材料である、請求項４９に記載のウインドカバー。
【請求項５９】
固着部材はひもである、請求項４９に記載のウインドカバー。
【請求項６０】
引込み式の引き上げ部材によってヘッドレールから吊るされるボトムレールをさらに含む、請求項４９に記載のウインドカバー。
【請求項６１】
一対の向かい合った長手方向領域の周囲に固着される補強片をさらに含む、請求項４９に記載のウインドカバー。
【請求項６２】
一対の向かい合った長手方向領域の内の少なくとも１つの周囲に固着される少なくとも１つの補強片をさらに含む、請求項４９に記載のウインドカバー。
【請求項６３】
閉鎖位置と開放位置との間で移動可能なウインドカバーであって、
ヘッドレールと、
前面と後面とを有し、且つヘッドレールから吊るされる複数の折畳み可能なパネルであって、各々が最も上の長手方向領域と最も下の長手方向領域とを有し、前記最も上の長手方向領域は穴を画定する複数の折畳み可能なパネルと、
ヘッドレールと複数のパネルとを接続する固着部材であって、複数のパネルの各々で最も上の長手方向領域の周囲に拘束的に配置される固着部材と、
ヘッドレールと複数のパネルとを接続する開放部材であって、最も上の長手方向領域によって画定される穴を通って延び且つパネルの前面で最も下の長手方向領域に隣接する領域の周囲に固着される巻き上げ部材をさらに含む開放部材と、
前記開放部材に操作可能に接続され、且つ開放部材の引き出し及び引き込みをしてウインドカバーを閉鎖位置と開放位置との間で動かす垂直調整機構と、を備えるウインドカバー。
【請求項６４】
複数のパネルの各々は複数の長手方向に広がる羽根板で構成されている、請求項６３に記載のウインドカバー。
【発明の詳細な説明】
【技術分野】
【０００１】
この発明は、改善されたウインドカバーに関する。さらに詳しくはこの発明は、ローマンシェード（ブラインド、日除け）の外観を有しているが異なる間隔で開口部を提供する能力を有する改善されたウインドカバーに関する。
【背景技術】
【０００２】
一般に普及しているウインドカバーの一種としてローマンシェードが知られている。この種のシェードは織物材料から構成され、この織物材料はその上端部に沿ってヘッドレールに取り付けられ且つ間隔をあけて集められることにより織物の前面に一連の柔らかな折り目を提供する。この結果、典型的なローマンシェードは流れるようなまたは柔らかなひだのついた外観を有している。このようなローマンシェードは、上げられる時には、シェード全体がウインドカバーの上部近傍に位置するまで一般的に水平な折り目状またはひだ状に底部から集まるように構成されている。ウインドカバーの上部が下がるようになっている種類もある。シェードは、シェードに取り付けられたガイドと連動して用いられる様々なひもを引っ張ることによって操作される。
【０００３】
従来技術のローマンシェードのほとんどは織物等の柔軟な材料または複数のパネルのいずれかで形成され、互いに鉛直方向に間隔があけられている箇所で複数の水平方向の折り目が設けられて、ブラインドが上げられた時にひだを形成する。ローマンシェードを作成する一般的な方法においては、米国特許第１，３２１，８００号に示されているように、織物材料の背部下方に縦方向の線に沿って少なくとも２組のリングまたはコネクタを縫い付ける。引き上げひもは、ヘッドレールから各組のリングを通り、そして織物の下端部に締付けられ、または織物の下端部の周囲のループに締付けられて織物の前面を上り、ヘッドレールに戻るようにしてもよい。または、各組のコネクタが織物に縫い付けられるとともに、ひもに沿って間隔をあけてひもに取り付けられる。各ひものスペーサの間の間隔は、スペーサが織物の背面に取り付けられる各箇所の間の間隔と等しいかそれより小さくてよい。
【０００４】
しかし、典型的なローマンシェードの１つの欠点は、底部を上げるかまたはウインドカバー全体の上部を下げることでプライバシーが大きく失われるような望ましくない結果を招かずに、例えばベネチアン・ブラインドに見られるようにブラインドの羽根板（スラット、細長い薄板）を傾斜させることによって室内に光を取り込むようにしたい場合に、ウインドカバーの全体面に開口部を作ることができないことである。従って、ベネチアン・ブラインドと同様に、シェードに隙間をあけて光を通し、尚且つシェードを上げる必要も下げる必要もなく比較的高度なプライバシーを維持する能力を提供することが望ましい。本発明はまた、ブラインドが閉じられている時にラダーまたは他の持ち上げおよび調整機構を見えないようにすることによって従来技術の欠点を克服する。
【発明の開示】
【０００５】
本発明は、複数のパネルを有するウインドカバーに関する。ウインドカバーはヘッドレールと、固着部材および開放部材によってヘッドレールから吊るされる複数のパネルと、を備える。複数のパネルは各々折畳み式であり、一対の向かい合った長手方向の領域を含む。複数のパネルは各々単一の連続した織物材料または複数の織物材料等の織物材料で構成され得る。または複数のパネルは各々、ベネチアン・ブラインドの羽根板に典型的に見られるような複数の長手方向に広がる堅い羽根板で構成することができ、または竹、籐、小枝等の幅の小さな片であってもよい。またボトムレールを設け、これをヘッドレールから吊るし、これによって複数のパネルがヘッドレールとボトムレールとの間に配置される。
【０００６】
固着部材はヘッドレールと複数のパネルとを接続するために設けられ、ひも、織物片、材料のパネル等から構成され得る。固着部材は向かい合った長手方向の領域の内の一つの周囲に複数のパネルの各々によって拘束的に配置される。パネルを固着部材で拘束的に配置することを可能にする方法としてはいくつかあり、限定はしないが、接着剤、超音波溶接、編み、結び等によって固着的に取り付けること、または固着部材に関するパネルの移動を止め具、または他の同様の制限部材によって制限すること等がある。例えば、羽根板の動きは固着部材上に配置された止め機構によって制限することができる。固着部材が接続された堅い固着片を用いることもできる。
【０００７】
同様にヘッドレールと複数のパネルとを接続する開放部材は、固着部材が接続されている箇所と反対側の長手方向の領域の周囲に複数のパネルの各々によって同様に拘束的に配置されてもよい。例えば、パネルが単一の材料部品で作成されている場合は、一対の向かい合った長手方向の領域はその材料部品の上端部および下端部であってよい。このようにして、開放部材を下端部に拘束的に位置させながら、固着部材を複数のパネルの各々によって上端部に拘束的に配置されてもよい。または、開放部材を上端部に拘束的に位置させながら、固着部材を複数のパネルの各々によって下端部に拘束的に位置させてもよい。向かい合った長手方向の領域のいずれかまたは両方に沿った補強片を含んでもよい。
【０００８】
開放部材の引き出し及び引き込みを行うための垂直調整機構が開放部材に操作可能に接続される。垂直調整機構はベネチアン・ブラインドシステムに一般的に見られる機構と同様のものであり、例えば、ヘッドレール内に取り付けられ且つ操作可能に接続された棒（ワンド）によって操作することができるウオームギアアセンブリを含んでおり、この場合、棒を回転することによって開放部材が引っ込む。または、ひもおよびひも固着アセンブリを使用して開放部材を上げ下げすることもできる。さらに他の選択肢としては、電動または遠隔操作式の垂直調整機構を用いることもできる。
【０００９】
開放部材を複数のパネルの下端部に固着する場合、垂直調整機構によって開放部材を引っ込める時、各パネルの下端部は上端部に関連して持ち上げられ、パネル前部の後に引き上げられ、これによってウインドカバーの前面に作られた開口部を通して光を通すことができる。垂直調整機構で開放部材を広げることによって各パネルの下端部が上端部に関連して下がり、このようにしてウインドカバーの前面の隙間が閉じられる。
【発明を実施するための最良の形態】
【００１０】
本明細書に開示される発明は多くの異なる形式の実施の形態を受け入れることが可能である。図面に示され本明細書において以下に詳細に説明されるものは、本発明の好ましい実施の形態である。尚、本開示は本発明の原理の一例であり、図示された実施の形態に本発明を限定するものではない。
【００１１】
本発明の好ましい実施の形態が図１に示されている。ウインドシェード１００は閉鎖位置で示されており、ヘッドレール１０２と、ボトムレール１０４と、複数のパネル１０６と、を含んでいる。また好ましくは個々のパネルの側面（プロファイル）を狭めるための開放棒１０８が設けられ、これによってウインドシェード１００の前面全体に隙間または開口部が作られると共に、シェード１００全体を上げるための持ち上げ棒１１０が設けられる。
【００１２】
図１に示すような完全に閉じられた状態において、ウインドシェード１００は接続ひものない外観を呈し、プライバシーおよび遮光の両方を提供している。ブラインド全体を上げず、それによって一定のプライバシーを維持しながら室内に光を取り込みたい場合、ユーザは開放棒１０８を回転させることができる。開放棒１０８が回転されると、複数のパネル１０６の各々が調整されてそのプロファイルを狭め、これによって図２に示されるようにウインドシェード１００の隙間１１１が開く。複数のパネルの各々を開放するための特定の手順について以下にさらに詳細に説明する。
【００１３】
図３および４を参照すると、図１および２のウインドカバーの複数のパネルの内の１つの長手方向のプロファイルを狭める方法を説明する。この実施の形態において、パネル１１４は、上部長手方向伸長領域１１６と、中央長手方向伸長領域１１８と、下部長手方向伸長領域１２０と、を有する単一の材料部品で形成されている。各パネルの中央領域１１８の集合体によってウインドカバーの前面全体が形成される。上述したように、各パネルを複数の材料部品から構成してもよい。例えば、上部および下部長手方向伸長領域１１６および１２０は一種類の材料で形成することができ、中央長手方向伸長領域１１８は色、不透明性、生地（風合い）等の異なる材料であることが可能である。
【００１４】
ひも１２２等の固着部材が上部領域１１６および下部領域１２０を貫いており、接着剤、超音波溶接、編み等によって上部領域１１６に固着されている。ひも１２２は下部領域１２０によって画定される穴１２４を貫通しているため、ひも１２２は下部領域１２０に固着されることはない。
【００１５】
また、ひも１２６等の開放部材が設けられる。ひも１２６は上部領域１１６によって画定される穴１２８を貫通し、同様に接着剤、超音波溶接、編み等によって下部領域１２０に固着される。複数のパネルは各々同様にひも１２２および１２６に固着される。または、ひも１２２および１２６を穴に貫通させてもよいが、その場合ひもが穴に貫通することを制限するためにひもに固着される止め具が含まれる。例えば、開放部材および固着部材上に締め付けられることによって配置され且つ固定されるワッシャ形の部品等の環状部材を利用することができる。
【００１６】
この実施の形態においては、開放部材としてのひも１２６等は、開放棒１０８（図１）に操作可能に接続されたヘッドレール１０２（図１）内の垂直調整機構（図示せず）によって引っ込められ、下部領域１２０はヘッドレールに関して垂直に静止している上部領域１１６の方向に動かされる。折畳み式のパネル１１４はこのようにしてそれ自体に折り重なって長手方向のプロファイルが狭くなる。図２に示すように、複数のパネルに開口部１１１が作られて、ウインドシェード１００全体を上げ下げする必要なく光を通すことが可能になる。再び図３および４を参照すると、ボトムレール１０４および複数のパネル１０６を引き上げるためのひも１３０等の引き上げ部材も穴１２４および１２８を貫通し、ボトムレール１０４に固着されている。ひも１３０等の引き上げ部材は操作可能に持ち上げ棒１１０（図１）に接続されている。１組のひも１２２、１２６および１３０のみが示されているが、図２に見ることができるようにウインドカバーの向かい合った端部から等距離に間隔をあけて配置された２組のひもを提供することが好ましい。
【００１７】
図示されてはいないが、上部長手方向伸長領域、下部長手方向伸長領域のいずれかまたは両方に沿った補強片が含まれてもよい。この補強片は上部または下部長手方向伸長領域のそれぞれに固着される薄型金属片、プラスチック、補強材料等で構成され得る。このような補強片は本明細書において説明される実施の形態のいずれにも含まれることができる。
【００１８】
上述したように、固着部材および開放部材は様々な方法で複数のパネルによって拘束的（固着状）に位置させることができる。図５および６に示される一実施の形態ではプラスチック片を使用している。図３および４において説明した実施の形態と同様に、パネル２１４は、上部長手方向伸長領域２１６と、中央長手方向伸長領域２１８と、下部長手方向伸長領域２２０とを有する単一の材料部品で形成されている。上部領域２１６内の穴２２８および下部領域２２０内の穴２２４を貫通しているのはひも２２０等の固着部材である。同様に、開放部材２２６が上部領域２１６内の穴２２８および下部領域２２０内の穴２２４を貫通している。固着部材２２２および開放部材２２６にはループ２２３および２２７がそれぞれ形成されている。プラスチックで形成されることが好ましい固着片２３２および２３４はそれぞれループ２２３および２２７を貫通し、固着部材２２２および開放部材２２６に対するパネルの下方向の動きが制限されるように図示されるようにパネル２１４に関して配置される。必要に応じて片２３２および２３４を例えば接着剤でパネル２１４に固着することができる。
【００１９】
本発明の別の方法が図７および８に示されている。この実施の形態においては、複数のパネルは複数の堅い羽根板から構成されている。このような羽根板は木製のベネチアン・ブラインドに典型的に見られるように比較的幅の広い羽根板であることが可能であり、または図示されているように小枝、籐、竹等の装飾用木材の比較的幅の狭い片であることが可能である。複数の比較的幅の狭い木材片はパネル３１４のような複数のパネルを構成する。上部領域３１６には複数の木片が設けられ、上部領域３１６は穴３２８を画定している。上部領域は単一の片で構成することが可能であり、またはいくつかの片であってもよい。下部領域３２０も同様に形成することが可能であり、また穴３２４を画定している。上部領域３１６および下部領域３２０を貫通しているのは上述したように上部領域３１６に固着されている固着部材３２２であり、これは下部領域３２０内の穴３２４を貫通し、下部領域３２０には固着されていない。開放部材３２６は穴３２８を貫通し、下部領域３２０に固着されている。また、他の実施の形態で上述したようなボトムレールおよび複数のパネルを引き上げるための引き上げ部材３３０も、穴３２４および３２８を貫通している。前記実施の形態と同様に、下部領域３２０が上部領域３１６の方へ引っ張られるようにひも３２６が引っ込められてウインドカバーの前面全体に隙間を作る。
【００２０】
図９に示される本発明の実施の形態においては、複数のパネルの各々が木製のベネチアン・ブラインドに典型的に見られるような羽根板で構成されている。この例においては、パネル３４０は３つの羽根板３４２、３４４および３４６で構成されているが、これより多くの羽根板を使用することもできる。固着部材３４８は、リング３５２によって上端部３４９の周囲で羽根板３４２に固着されている。開放部材３５０もまた、下端部３５１の周囲で羽根板３４６に固着されている。この特定の実施の形態において、リング３５３および３５５は羽根板３４２、３４４および３４６を接続している。開放部材３５０が固着されている最も下の羽根板３４６に付加的なリング３５７が固着されている。図１０を参照すると、開放部材３５０が引っ込められる時、最も下の羽根板３４６が上に向かって引き上げられ、これによって羽根板３４２および３４４が反り、互いに折り重なる。
【００２１】
これまでに示した各実施の形態において、ウインドシェードの前面の隙間、即ち、開放位置はパネルの下部領域を上部領域に向かって引き上げることによって作り出されていた。しかし、ウインドシェードの前面の隙間は、所定の位置に保持されている下部領域に向かって上部領域を下げることによっても作ることができると考えられる。このような実施の形態の例が図１１および１２に示されている。
【００２２】
この実施の形態においては、パネル４１４は、上部長手方向伸長領域４１６と、中央長手方向伸長領域４１８と、下部長手方向伸長領域４２０と、を有する単一の材料部品で形成されている。上部領域４１６および下部領域４２０を貫通しているのは下部領域４２０に固着されている固着部材４２２である。固着部材４２２は上部領域４１６に固着されないように、上部領域４１６によって画定される穴４２８を貫通している。また開放部材が設けられ、これは上部領域４１６に固着されている。この実施の形態において、開放部材４２６がヘッドレール内の垂直調整機構によって伸ばされると、固着部材４２２によってヘッドレールに対して実質的に静止状態に保持されている下部領域４２０に向かって上部領域４１６が下げられる。このようにして、折畳み可能なパネル４１４はそれ自体に折り重なって長手方向の外郭が狭くなる。前記実施の形態と同様に、ボトムレールおよび複数のパネルを持ち上げるためのひも４３０等の引き上げ部材も穴４２４および４２８を貫通している。上部領域が下部領域に下げられる同様の構成を、前述した構成のいずいれにおいても使用することができる。
【００２３】
さらに他の実施の形態において、さらなる表面仕上げを含めて、閉鎖位置にある時にウインドカバーの前面および後面の両方からひもおよびコネクタを見えないようにすることができる。図１３および１４を参照すると、パネル５１４は両面ウインドカバーを構成する複数のパネルからのパネルの例である。
【００２４】
パネル５１４は、上部長手方向伸長領域５１６と、中央長手方向伸長前面領域５１８と、中央長手方向伸長後面領域５１９と、下部長手方向伸長領域５２０と、を有する単一の材料部品で形成されている。材料部品はそれ自体に固着されて連続的な材料部品を形成する単一の材料部品であってよい。または複数の材料片を合わせて固着することもできる。複数の材料片は同一の材料であってもよく、異なる特性、即ち、色、不透明性等を有する材料であってもよい。図示されているように、パネル５１４は長手方向伸長セル５２１を画定する。
【００２５】
上部領域５１６および下部領域５２０を貫通しているのは上部領域５１６に固着されている固着部材５２２である。固着部材５２２は下部領域５２０に固着されないように、下部領域５２０によって画定される穴５２４を貫通している。開放部材５２６も設けられ、これは上部領域５１６によって画定される穴５２８を貫通し、また下部領域５２０に固着されている。複数のパネルは各々同様に形成され、固着部材５２２および開放部材５２６に固着されている。部材５２２、５２６および５３０はいずれの側のひもにも等しい量の材料が吊るされるように配置されていることが好ましい。開放部材５２６が引っ込められると、下部領域５２０がヘッドレールに対して垂直に静止状態にある上部領域５１６に向かって動かされる。このようにして、セル５２１はそれ自体に折り重なって長手方向のプロファイルが狭くなる。
【００２６】
他の実施の形態が図１５および１５Ａに示されている。この実施の形態においては、ウインドカバー６００はパネル６１４のような複数のパネルで作成されている。各パネルは６１６、６１８および６２０等の複数の羽根板で構成されている。またこのパネルは前面（図示せず）、後面６２２、最も上の領域６２４および最も下の領域６２６を画定している。上述した他の実施の形態と同様、固着部材６２８が最も上の領域６２４によって拘束的に配置されている。また開放部材６３０が設けられている。この例において、開放部材６３０は巻き上げ部材６３２および持ち上げ部材６３４で構成されている。最も上の領域６２４は穴６２７を画定し、これを巻き上げ部材６３２が貫通している。巻き上げ部材６３２の一端は持ち上げ部材６３４に接続されている。持ち上げ部材６３４に複数の巻き上げ部材が各パネルに１つずつ固着されていることが好ましい。巻き上げ部材がパネル６１４の最も下の領域６２６の下を通過し、最も下の領域６２６に隣接する領域の周囲でパネル６１４の前面に固着されている。例えば、巻き上げ部材６３２が羽根板６２０の頭部領域の周囲で前面に固着される。持ち上げ部材６３４が持ち上げられると、羽根板６２０が図１６、１６Ａ、１７および１７Ａに示すように巻き上げられるように巻き上げ部材６３２が穴６２７を通って引張られる。このようにして、ウインドカバーに隙間が作られる。
【００２７】
複数の羽根板を備えるパネルを示したが、巻き上げ部材は織物材料で構成されるパネルと共に使用することができる。巻き上げ部材の視覚的効果を軽いものとするため、巻き上げ部材はパネルと同様の色で構成してもよい。図示されているように、巻き上げ部材は、波立つような外観が達成されるようにパネルが広げられる程度を制限する働きをするようにしてもよい。
【００２８】
上記説明は実例として取り上げられたものであり、限定するものではない。当業者には本発明の趣旨および範囲内におけるさらに他の変形例が容易に考えられるであろう。
【図面の簡単な説明】
【００２９】
【図１】本発明による閉鎖位置にあるウインドカバーの好ましい実施の形態の正面斜視図である。
【図２】部分的に開放位置にある図１のウインドカバーの正面斜視図である。
【図３】図１のウインドカバーからのパネルの好ましい実施の形態の後面斜視図である。
【図４】図３のパネルの断面図である。
【図５】パネルを固着部材に固着する他の方法によるパネルの好ましい実施の形態の拡大斜視図である。
【図６】図５の実施の形態の拡大断面図である。
【図７】本発明によるウインドカバーからのパネルの他の実施の形態の後面斜視図である。
【図８】図７のパネルの断面図である。
【図９】本発明によるウインドカバーからの羽根板を備えるパネルの他の実施の形態の後面斜視図である。
【図１０】羽根板が部分的に引っ込んでいる図９の実施の形態の斜視図である。
【図１１】本発明によるウインドカバーからのパネルのさらに他の実施の形態の後面斜視図である。
【図１２】図１１のパネルの断面図である。
【図１３】本発明によるウインドカバーからのパネルの他の実施の形態の後面斜視図である。
【図１４】図１３のパネルの後部断面図である。
【図１５】本発明によるウインドカバーからのパネルの他の実施の形態の後面斜視図である。
【図１５Ａ】図１５の拡大部分図である。
【図１６】開放部材が部分的に引っ込んでいる図１５のパネルの後面斜視図である。
【図１６Ａ】図１６の拡大部分図である。
【図１７】完全に引っ込められている図１５のパネルの後面斜視図である。
【図１７Ａ】図１７の拡大部分図である。
【図１】
2004332523.tif 000003
【図２】
2004332523.tif 000004
【図３】
2004332523.tif 000005
【図４】
2004332523.tif 000006
【図５】
2004332523.tif 000007
【図６】
2004332523.tif 000008
【図７】
2004332523.tif 000009
【図８】
2004332523.tif 000010
【図９】
2004332523.tif 000011
【図１０】
2004332523.tif 000012
【図１１】
2004332523.tif 000013
【図１２】
2004332523.tif 000014
【図１３】
2004332523.tif 000015
【図１４】
2004332523.tif 000016
【図１５】
2004332523.tif 000017
【図１５Ａ】
2004332523.tif 000018
【図１６】
2004332523.tif 000019
【図１６Ａ】
2004332523.tif 000020
【図１７】
2004332523.tif 000021
【図１７Ａ】
2004332523.tif 000022
【外国語明細書】
2004332523.tif 000023
2004332523.tif 000024
2004332523.tif 000025
2004332523.tif 000026
2004332523.tif 000027
2004332523.tif 000028
2004332523.tif 000029
2004332523.tif 000030
2004332523.tif 000031
2004332523.tif 000032
2004332523.tif 000033
2004332523.tif 000034
2004332523.tif 000035
2004332523.tif 000036
2004332523.tif 000037
2004332523.tif 000038
2004332523.tif 000039
2004332523.tif 000040
2004332523.tif 000041
2004332523.tif 000042
2004332523.tif 000043
2004332523.tif 000044
2004332523.tif 000045
2004332523.tif 000046
2004332523.tif 000047
2004332523.tif 000048
2004332523.tif 000049
2004332523.tif 000050
2004332523.tif 000051
2004332523.tif 000052
2004332523.tif 000053
2004332523.tif 000054
2004332523.tif 000055
2004332523.tif 000056
2004332523.tif 000057
2004332523.tif 000058
2004332523.tif 000059
2004332523.tif 000060
2004332523.tif 000061
2004332523.tif 000062
2004332523.tif 000063
2004332523.tif 000064
2004332523.tif 000065
2004332523.tif 000066